(57)【要約】      （修正有）【課題】出入口や窓の内側上部に取付け、両面テープや接着剤の付いた糸を床まで落し、カーテンのような幕を作り、床にラムネ玉をまき泥棒が容易に入れなくし、また逃げられなくする、泥棒退治機を提供する。【解決手段】出入り口や窓などの内側上部にとりつける。まず接着剤の密閉容器の両端に穴をあけ糸をとおし栓をする、容器は固定し、両面テープと接着剤の付いた糸の下におもりを付け開閉口のふたに置く。センサーがＯＮになった時点で、両面テープと接着剤の付いた糸が床まで落ちカーテンを作る、足元にはラムネ玉を同時にまく構成による。【選択図】図１
0003125182.tif 000002
【実用新案登録請求の範囲】
【請求項１】
出入り口や窓などの内側上部に取付ける、泥棒退治機です。
まず接着剤の密閉容器の両端に穴をあけ、糸をとおし栓をする。容器は固定し、両面テープと接着剤の付いた糸の下におもりを付け開閉口のふたに置く図１（２）（３）。センサーがＯＮになった時点で、両面テープと接着剤の付いた糸が床まで落ちカーテンを作る、足元にはラムネ玉を同時にまく、図２、以上のような構成より成る、泥棒退治機です。
【考案の詳細な説明】
【技術分野】
【０００１】本考案は、出入口や窓の内側上部に取付け、両面テープや接着剤の付いた糸を床まで落し、カーテンのような幕を作り、床にラムネ玉をまき泥棒が容易に入れなくし、また逃げられなくする、泥棒退治機です。
【背景技術】
【０００２】従来は、警備会社の警報を受けた者が、警察に電話をかけすぐ警官が駆けつけるが、逮捕にはいたらなかった。
【考案の開示】
【考案が解決しようとする課題】
【０００３】従来は、警官が駆けつけた時には泥棒は逃げあと。そこで両面テープと接着剤の付いた糸でカーテンを作り、床にラムネ玉をまき、泥棒が、入れなくし、また逃げられなくする。
【課題を解決するための手段】
【０００４】まず接着剤の密閉容器の両端に穴をあけ、糸をとおし栓▲７▼▲１０▼をする、容器は固定し両面テープと接着剤の糸の下におもりを付け、蓋▲１５▼に置く図１（２）（３）。センサーがＯＮになった時点で、モーター駆動により、箱の開口部の蓋があき図１（１）、両面テープと、接着剤の付いた糸が床まで落ちカーテンを作る、足元にはラムネ玉を同時にまく、図２。以上のような構成より成る泥棒退治機です。
【考案の効果】
【０００５】まず邪魔なテープにさわる、手や衣服にくっつく、取ろうとして一方の手で持てば手に付く、引っ張れば伸びてくる、足元は不安定で、接着剤の糸も同時にさわる。手や洋服に付けば、後は触るところ、どこにでもくっ付く、以上のごとく泥棒退治機です。
【考案を実施するための最良の形態】
【０００６】上部に取付ける箱は下側に開口部を作り、蓋▲１５▼をおく、センサーなどでモーターＯＮ駆動軸▲１２▼が右周り半回転で停止、回り初めに接着剤の上の栓▲７▼を回転しながら▲１１▼抜き取る、下の栓▲１０▼は糸▲９▼で縛りつけ、その下におもり▲３▼を付ける、両面テープの重り▲３▼と蓋▲１５▼の上に置く、引上げ腕▲１７▼で蓋がずれ、おもりが落ちる、ラムネ玉は容器の下端の蓋を糸でつなぎ、引上げ腕▲１７▼を別の場所に（取付け角度を変えたもの）つけておき駆動軸回転と同時にラムネ玉が飛び出すようにする。
【図面の簡単な説明】
【０００７】
【図１】各部の断面図である。
【図２】ラムネ玉容器の断面図である。
【図３】正面配置図である。
【符号の説明】
１は両面テープ巻きカセット。    ２は固定軸。    ３は重り。    ４は両面テープ。    ５はハクリ紙巻    ６は糸巻き。    ７は接着剤の上の栓。    ８は接着剤容器。    ９は接着剤の糸。    １０は接着剤の下の栓。    １１は上の栓抜き用腕。    １２は駆動軸。    １３はモーター。    １４は箱。    １５は蓋。    １６はチェーン。    １７は引上げ腕。    １８はラムネ玉出し口引上げ糸。    １９はラムネ玉容器。    ２０はラムネ玉。    ２１はラムネ玉開放口板。    ２２は空転防止用オイルシール。    ２３は接着剤容器固定用。
【図１】
0003125182.tif 000003
【図２】
0003125182.tif 000004
【図３】
0003125182.tif 000005
【手続補正書】
【提出日】平成18年5月8日(2006.5.8)
【手続補正１】
【補正対象書類名】実用新案登録請求の範囲
【補正対象項目名】全文
【補正方法】変更
【補正の内容】
【実用新案登録請求の範囲】
【請求項１】
本考案は、箱型で横に長いものとし中に接着剤のセットを複数設置する、長さは設置場所より異なる、箱の下面に開口部をつくり、その開口部に蓋を載せ、出入り口や窓の上部また貴重品収納部の手前上部に設置する、以上の形状を有する泥棒退治機である。
【請求項２】
本考案は、市販されている瞬間接着剤を使用し、容器の円錐形のほうを下向きに使用する、上部になる円の中央部に穴をあけ糸を通し円錐形の先を少し切り、すばやく糸を貫通させ穴に栓をする、複数の接着剤の容器は箱の中に固定する、貫通させた糸に重りを付け、箱の開口部の蓋の上に置く泥棒侵入時センサーが感知モーターにより蓋をずらし重りと一緒に接着剤をたっぷり含んだ糸を落下させる、又両面テープを併用してもよい、以上の構造を有する泥棒退治機である。
【手続補正２】
【補正対象書類名】明細書
【補正対象項目名】全文
【補正方法】変更
【補正の内容】
【考案の詳細な説明】
【技術分野】
【０００１】  本考案は侵入しようとする泥棒に思い止まらせる事又時間が掛かり過ぎ逮捕出来る事を目的としたものである
【背景技術】
【０００２】  この考案は近年泥棒があとを絶たず、そこで接着剤の中に糸を通しそれを上部より何本も吊り下げ泥棒が入りにくくする。
【考案の開示】
【考案が解決しようとする課題】
【０００３】  従来、ハイテクが進み今では何でも出来る時代になった、監視カメラ、赤外線カメラ、音声感知など非常に良く出来ている、だがこれはあくまで監視にすぎない。
【課題を解決するための手段】
【０００４】  本考案は、箱型で横に長いものとし中に接着剤のセットを複数設置する、長さは設置場所より異なる、箱の下面に開口部をつくり、その開口部に蓋を載せ、出入り口や窓の上部また貴重品収納部の手前上部に設置する、市販されている瞬間接着剤を使用し、容器の円錐形のほうを下向きに使用する、上部になる円の中央部に穴をあけ糸を通し円錐形の先を少し切り、すばやく糸を貫通させ穴に栓をする、複数の接着剤の容器は箱の中に固定する、貫通させた糸に重りを付け、箱の開口部の蓋の上に置く泥棒侵入時センサーが感知モーターにより蓋をずらし重りと一緒に接着剤をたっぷり含んだ糸を落下させる、又両面テープを併用してもよい、以上の構造を有する泥棒退治機である。
【考案の効果】
【０００５】  本考案は監視型ではなく直接泥棒に接する実態型である
【考案を実施するための最良の形態】
【０００６】  まず接着剤容器の中に通す糸は木綿製はだめで、ナイロン製の壷糸の０．７５ミリのものを使い５メートルほど糸巻きに巻いて回転出来るようにして置く、糸の先２５センチぐらい接着剤のはがし剤を塗布しかるく拭き取っておく、瞬間接着剤の通常使用する反対側の面の中央あたりに１．５ミリのきりで穴をあけ先の細いところまで糸を通し容器の先端部を少し切る、すぐ糸を押しだし出た糸を持って２０センチほど引き出す即両方の穴に栓をしては、がし剤を付けた、うえす、などでよく拭き取り下側の栓に縛りつけ先端を、おもりに縛る、糸巻きは回転軸にとり付け接着剤容器は固定しおもりは箱の蓋の上に置く、モーター駆動により箱の蓋がずり上がると、おもり、が床まで落ち接着剤のついた糸が何本もはられる、容器にのこった液体が糸をつたって雫のように落ちてくる、どこに触れてもべっとりつく  糸は１５分ぐらいは触れられない。
【図面の簡単な説明】
【０００７】
【図１】  駆動部断面図
【図２】  接着剤容器をセットした断面図
【図３】  箱の蓋がずれおもり落下時の断面図
【手続補正３】
【補正対象書類名】図面
【補正対象項目名】全図
【補正方法】変更
【補正の内容】
【図１】
0003125182.tif 000006
【図２】
0003125182.tif 000007
【図３】
0003125182.tif 000008